(57)【特許請求の範囲】
【請求項１】
路面に埋設された標識灯を除雪するための除雪装置であって、凍結防止剤水溶液を噴射する水溶液噴射装置と、高風圧の風を吐出して積雪を飛散可能な除雪手段とを備え、該除雪手段により高風圧を除雪対象に吹き付けるとともに前記水溶液噴射装置により凍結防止剤水溶液を除雪対象に噴射するよう構成したことを特徴とする標識灯除雪装置。
【請求項２】
当該除雪装置を車両に搭載した場合、前記除雪手段の風圧吐出口が車両進行方向に傾斜していることを特徴とする、請求項１に記載の標識灯除雪装置。
【請求項３】
路面に埋設された標識灯を除雪するための除雪車において、
凍結防止剤水溶液を噴射する水溶液噴射装置と、高風圧の風を吐出して積雪を飛散可能な除雪手段とを有する除雪装置を備え、
前記除雪装置の除雪手段により高風圧を除雪対象に吹き付けるとともに前記水溶液噴射装置により凍結防止剤水溶液を除雪対象に噴射するよう構成したことを特徴とする除雪車。
【請求項４】
前記除雪手段の風圧吐出口が車両進行方向に傾斜していることを特徴とする、請求項３に記載の標識灯除雪車。
【請求項５】
除雪対象を撮影する撮影手段と、該撮影手段で撮影した映像を表示する表示手段とを備えたことを特徴とする、請求項３に記載の標識灯除雪車。
【請求項６】
路面に埋設された標識灯を除雪する標識灯除雪方法において、
凍結防止剤水溶液を噴射する水溶液噴射手段と高風圧の風を吐出して積雪を飛散可能な除雪手段とを有する除雪装置を搭載した除雪車により、前記水溶液噴射手段の噴射口及び前記除雪手段の高風圧吐出口が前記標識灯上方を通過するように走行しながら、前記除雪手段により高風圧を前記標識灯に吹き付けて該標識灯部の積雪を飛散させるとともに前記水溶液噴射手段により凍結防止剤水溶液を標識灯部に噴射することを特徴とする標識灯除雪方法。
【発明の詳細な説明】
【０００１】
【発明の属する技術分野】
本発明は、飛行場の滑走路に設けられた誘導灯など、路面（路上）に埋設された標識灯の除雪を行う除雪装置に関するものである。
【０００２】
【従来の技術】
空港には多種類の標識灯が埋設されている。例えば、着陸しようとする航空機に滑走路を示すための滑走路センター灯、滑走路の末端を示す滑走路末端灯、誘導路に設けられた誘導路灯などがある。これらの標識灯は、通常、滑走路・誘導路などの路面に埋設されたものである。
【０００３】
図５に、標識灯の一例として滑走路センター灯の構造例を示す。
この図に示す滑走路センター灯は、路面に設けた穴に標識灯装置５０を嵌設したものであり、灯器５１並びにレンズ５２の上面をカバー５３で覆っている。従って、レンズ部は凹んだ形状になっている。これ以外の標識灯も大体似たような構造である。
【０００４】
空港においては、冬季に降雪があった場合には除雪作業が行われる。例えば千歳空港では積雪が５ｃｍになると除雪作業を行い、それ以下の積雪では除雪作業は行われない。しかし、少ない積雪であっても標識灯レンズ部は凹んでいるため、この部分に雪がたまり灯火の視認性は低下し、安全確保のためには標識灯レンズ部の除雪作業を行うことが望ましい。
【０００５】
ところが、図５に示すように、一般的な標識灯装置においてはそのカバー面の上端が路面より高くなっており、プラウやスイーパによる除雪作業を行うと標識灯装置を破損又は傷つける恐れがある。そこで、従来、プラウやスイーパを用いる場合はプラウやスイーパを路面から浮かして（標識灯装置に当たらないようにして）除雪作業を行っていたため、標識灯レンズ部の除雪が充分ではなかった。
【０００６】
そこで、従来、誘導灯の洗浄装置を除雪装置として転用し、これにより個々の標識灯の除雪作業を行うようにしていた。この誘導灯洗浄装置は回転ブラシ等を用いて標識灯のレンズ面を洗浄するものであり、１つの誘導灯を覆うようにセットし、その誘導灯の洗浄作業（除雪作業）が終了したら次の誘導灯まで運んでセットして洗浄作業（除雪作業）を行うというものである。
【０００７】
【発明が解決しようとする課題】
しかしながら、積雪時の標識灯においては、灯器が発する熱により雪が融けその融けた雪が標識灯装置に凍りつくという現象が発生する場合がある。標識灯装置に凍りついた氷雪は洗浄装置の回転ブラシなどによっては落とすことが難しく、といって、硬いブラシ（例えば金属性ワイヤブラシなど）を用いた場合はレンズ面を傷つけてしまうという問題があった。
【０００８】
また、１つの誘導灯の除雪が終了したら洗浄装置を次の誘導灯のところまで運んでセットし、次の除雪を行うため、洗浄装置を転用した除雪作業は作業速度が遅く効率が悪いという問題があった。
【０００９】
本発明は、従来の標識灯除雪作業における上述の問題を解決し、標識灯レンズ部の除雪を確実且つ効率よく実施することのできる除雪装置及び除雪車を提供することを課題とする。
【００１０】
【課題を解決するための手段】
前記の課題は、本発明により、路面に埋設された標識灯を除雪するための除雪装置であって、凍結防止剤水溶液を噴射する水溶液噴射装置と、高風圧の風を吐出して積雪を飛散可能な除雪手段とを備え、該除雪手段により高風圧を除雪対象に吹き付けるとともに前記水溶液噴射装置により凍結防止剤水溶液を除雪対象に噴射するよう構成したことにより解決される。
【００１１】
また、前記の課題を解決するため、本発明は、当該除雪装置を車両に搭載した場合、前記除雪手段の風圧吐出口が車両進行方向に傾斜していることを提案する。
【００１２】
また、前記の課題を解決するため、本発明は、路面に埋設された標識灯を除雪するための除雪車において、凍結防止剤水溶液を噴射する水溶液噴射装置と、高風圧の風を吐出して積雪を飛散可能な除雪手段とを有する除雪装置を備え、前記除雪装置の除雪手段により高風圧を除雪対象に吹き付けるとともに前記水溶液噴射装置により凍結防止剤水溶液を除雪対象に噴射するよう構成したことを提案する。
【００１３】
また、前記の課題を解決するため、本発明は、前記除雪手段の風圧吐出口が車両進行方向に傾斜していることを提案する。
また、前記の課題を解決するため、本発明は、除雪対象を撮影する撮影手段と、該撮影手段で撮影した映像を表示する表示手段とを備えたことを提案する。
【００１４】
また、前記の課題を解決するため、本発明は、路面に埋設された標識灯を除雪する標識灯除雪方法において、凍結防止剤水溶液を噴射する水溶液噴射手段と高風圧の風を吐出して積雪を飛散可能な除雪手段とを有する除雪装置を搭載した除雪車により、前記水溶液噴射手段の噴射口及び前記除雪手段の高風圧吐出口が前記標識灯上方を通過するように走行しながら、前記除雪手段により高風圧を前記標識灯に吹き付けて該標識灯部の積雪を飛散させるとともに前記水溶液噴射手段により凍結防止剤水溶液を標識灯部に噴射することを提案する。
【００１５】
【発明の実施の形態】
以下、本発明の実施の形態を図面に基づいて説明する。
図１は、本発明の一実施形態の標識灯除雪装置を装着した作業車両（標識灯除雪車）を示す側面図である。また、図２は、その後正面図である。また、図３はその平面図である。
【００１６】
これらの図に示すように、本実施形態の標識灯除雪装置１は、作業車両２０の荷台上に設置されている。作業車両２０としては本実施形態では２トン又は４トンのトラックを使用している。
【００１７】
標識灯除雪装置１は発電機２、水溶液タンク３、噴射用高圧ポンプ４、ブロワ６等から構成されている。高圧ポンプ４及びブロワ６の駆動用動力を得るための発電機２は、本実施形態では出力２５ｋＶＡのエンジン発電機を用いている。水溶液タンク３には凍結防止剤の水溶液が搭載され、本実施形態では５００リットルの容量のタンクを用いている。噴射用高圧ポンプ４は、水溶液タンク３内の凍結防止剤水溶液を噴射ノズル５から噴出させるためのもので、本実施形態では２００ｋｇ／ｃｍ２の圧力のポンプを用いている。水溶液タンク３と噴射用高圧ポンプ４、及び噴射用高圧ポンプ４と噴射ノズル５は配管９で連絡されている。ブロワ６は高圧電動送風機であり、本実施形態では風量：６０ｍ３／ｍｉｎのものを用い、ブロワノズル７での出口風速：約４０ｍ／ｓｅｃとなっている。ブロワ６とノズル７はダクト８により連絡されている。そして、作業車両２０の運転席に除雪装置１の操作装置を配置し、ポンプ４及びブロワ６のＯＮ−ＯＦＦができるように構成されている。
【００１８】
本実施形態においては、噴射ノズル５及びブロワノズル７の出口面は、路面からの高さ３０ｃｍに設定されており、この場合、噴射ノズル５から噴出される凍結防止剤水溶液の噴射幅は５８ｃｍとなっている。なお、図２及び図３に示すように、本実施形態では、噴射ノズル５及びブロワノズル７は車両２０の幅方向の中央に配置されている。
【００１９】
次に、上記のように構成された標識灯除雪装置による作業の様子について説明する。
空港における標識灯は、通常、一定間隔をおいて埋設されている。一例として滑走路センター灯は３０ｍ間隔で設置されている。その滑走路センター灯の除雪作業を行う場合、作業者は除雪装置１を搭載した作業車両２０を運転し、滑走路に乗り入れる。車両２０で滑走路センター灯５０（図５）をまたぐようにし、車両幅方向の中央をセンター灯５０に合わせるようにして低速で進行する。本実施形態では作業車両２０の前後に路面を撮影するためのモニタカメラ１０，１１を配置し、運転室内にモニタを配置しているので、噴射ノズル５及びブロワノズル７を標識灯に容易に合わせることができる。
【００２０】
車両幅方向の中央をセンター灯５０に合わせるようにして低速で進行しながらブロワノズル７より風速：約４０ｍ／ｓｅｃの強風をセンター灯５０に吹き付け、積雪を飛散させる。同時に、噴射ノズル５より凍結防止剤水溶液を噴出させ、凍結防止剤水溶液をセンター灯５０に噴射する。本実施形態の除雪装置１による除雪態様は、標識灯部にある新雪・軽い雪をブロワ６で発生させた風により吹き飛ばし、これで残った雪及び氷を凍結防止剤水溶液の噴射で破壊し、吹き飛ばすものである。また、凍結防止剤水溶液を使用することで再凍結を防止でき、標識灯の露出を長時間維持することができる。
【００２１】
本実施形態の除雪装置１による除雪作業では、必ずしも標識灯の上で停止する必要はなく、低速で走行しながらの作業が可能なので、従来の標識灯洗浄装置を転用した除雪作業に比べると、格段の高速化が実現される。一例をあげると、標識灯洗浄装置を転用した除雪作業では１個の標識灯を除雪するのに２０〜３０秒の時間がかかるのに対して、本実施形態では３〜５秒の作業時間で済む。さらに、除雪装置を標識灯にセットする手間がかからず、作業員が車両から降りる必要もなく、実質的な作業時間はさらに短縮できる。
【００２２】
もちろん、標識灯と標識灯の間では車両の速度を上げることにより、作業の効率を上げることができる。滑走路センター灯以外の標識灯の除雪作業も同様であり、複数の標識灯の除雪作業を連続的に、且つ、個々の標識灯位置で停止することなく、高速に作業を実施することが可能である。
【００２３】
本実施形態の除雪装置１は通常のトラックに装着することも可能であり、あるいはプラウやスイーパを装着した除雪車両・除雪トラック等に搭載することも可能である。上記実施形態の作業車両２０は一例を示すものであり、これに限定されるものではない。
【００２４】
また、本実施形態の作業車両２０では路面を撮影するカメラとその映像を表示するモニタとを備えているので、作業者は噴射ノズル５とブロワノズル７とを標識灯に容易に合わせて確実な除雪作業を行うことができる。なお、噴射ノズル５とブロワノズル７の位置は車両幅方向の中央に限定されるものではない。
【００２５】
図４は、ブロワノズルの別例を示すもので、この図に示すブロワノズル７ｂは吹き出しノズルを車両進行方向（図の左方向）に傾斜させて設けたものである。これにより、ノズル７ｂより吹き出される風は真下ではなく前方向（車両進行方向）に吹き出されることになる。そのため、走行しながらの除雪作業において雪を飛散させやすくなり、より確実な除雪を行うことができる。また、噴射ノズル５から噴出させた凍結防止剤をブロワノズルより吹き出した風で飛ばしてしまうことが少なくなり、除雪（融雪）効率を高めることもできる。
【００２６】
【発明の効果】
以上説明したように、本発明の標識灯除雪装置及び除雪車によれば、風圧吐出装置により高風圧を除雪対象に吹き付けるとともに水溶液噴射装置により凍結防止剤水溶液を除雪対象に噴射するよう構成したので、高風圧による新雪・軽雪の除雪と凍結防止剤水溶液噴射による氷雪の破壊を同時に且つ連続的に行うことができ、標識灯を傷つけることなく標識灯の確実な除雪作業を効率よく行うことができる。
【００２７】
また、風圧吐出装置の風圧吐出口を車両進行方向に傾斜させれば、走行しながらの除雪作業において雪を飛散させやすくなり、より確実な除雪を行うことができる。また、噴射した凍結防止剤水溶液を吹き出した風で飛ばしてしまうことが少なくなり、除雪並びに再凍結防止効果を高めることもできる。
【００２８】
また、車両走行中に凍結防止剤水溶液の噴射と高風圧の吐出を行うことにより、高風圧による新雪・軽雪の除雪と凍結防止剤水溶液噴射による氷雪の破壊を同時に且つ連続的に行うことができ、高速で効率の良い除雪作業を行うことができる。
【００２９】
また、除雪対象を撮影する撮影手段と、該撮影手段で撮影した映像を表示する表示手段とを備えることにより、作業者は風圧吐出装置の吐出口と水溶液噴射装置の噴射口とを標識灯に容易に合わせて確実な除雪作業を行うことができる。
【図面の簡単な説明】
【図１】本発明の一実施形態の標識灯除雪装置を装着した標識灯除雪車を示す側面図である。
【図２】その後正面図である。
【図３】その平面図である。
【図４】ブロワノズルの別例を示す部分側面図である。
【図５】標識灯の一例である滑走路センター灯の構造例を示す図で、（ａ）は平面図，（ｂ）は側断面図である。
【符号の説明】
１          標識灯除雪装置
２          発電機
３          水溶液タンク
４          噴射用高圧ポンプ
５          噴射ノズル
６          ブロワ
７          ブロワノズル
８          除雪ベルト
１０，１１  モニタカメラ
２０        作業車両（標識灯除雪車）
５０        滑走路センター灯（標識灯）
５１        灯器
５２        レンズ
５３        カバー
【図１】
0003704452.tif 000002
【図２】
0003704452.tif 000003
【図３】
0003704452.tif 000004
【図４】
0003704452.tif 000005
【図５】
0003704452.tif 000006